(57)【要約】      （修正有）【課題】複数のセンサを設置せずとも、映像撮像機能を有するインターホン子機と録画・保存機能を有するインターホン親機とを使用して侵入者の映像を確実に保存する。【解決手段】インターホン親機３の制御回路３１１は、センサ２の人体検知部２００からの侵入検知信号Ｓ1を受信したタイミングで、インターホン子機１のカメラ１０１にて撮像される映像の録画・再生回路３０４への録画を開始させ、センサの防犯異常検出部２０１からの防犯異常検出信号Ｓ3を受信した前所定時間に録画・再生回路へ予め録画されていた映像と、受信した後所定時間に録画・再生回路へと録画される映像とをメモリ回路３０５に保存する。また、インターホン親機の制御回路は、センサの人体検知部からの侵入検知信号を受信したタイミングで、インターホン子機のカメラにて撮像される映像の録画・再生回路への録画を開始させる。【選択図】図２
2008250405.tif 000002
【特許請求の範囲】
【請求項１】
カメラ（１０１）を有するインターホン子機（１）と、前記インターホン子機に接近して設置され予め設定された検知エリア（Ｚ2）に人が侵入したことを検知するセンサ（２）と、前記インターホン子機からの呼び出しが報知され通話を成立させるための呼出報知機能部（３００、３０２、３０６）及び通話機能部（３０１、３０２、３０７）、前記インターホン子機のカメラにて撮像された映像を録画・保存及び出画するための録画・保存機能部（３０４、３０５）及び映像出画機能部（３００）、前記センサにて検知された侵入者の存在を警報発報するための親機警報発報機能部（３０２、３０６）を有するインターホン親機（３）とを備え、
前記インターホン親機の録画・保存機能部は、録画・再生回路（３０４）及びメモリ回路（３０５）により構成され、
前記インターホン親機は、前記侵入者の存在を検知した前記センサにて生成される侵入検知信号（Ｓ1）の入力のタイミングで前記録画・再生回路への録画を開始し、前記検知エリア内で前記侵入者の存在が一定時間継続して、又は複数回の出入りとして検出した前記センサにて生成される防犯異常検出信号（Ｓ3）が入力される場合、前記防犯異常検出信号が入力された時点の前所定時間（Ｔ2）に前記録画・再生回路に録画された映像を前記メモリ回路に保存することを特徴とするインターホンシステム。
【請求項２】
前記録画・再生回路に録画された映像を前記防犯異常検出信号が入力された時点の前所定時間のみならず、前記防犯異常検出信号が入力された時点の後所定時間（Ｔ1）に前記メモリ回路に保存することを特徴とする請求項１記載のインターホンシステム。
【請求項３】
前記インターホン親機は、前記防犯異常検出信号が入力されたとき、前記親機警報発報機能部及び前記インターホン子機の子機警報発報機能部（１０３）をそれぞれ能動にすることを特徴とする請求項１又は請求項２記載のインターホンシステム。
【請求項４】
前記インターホン親機は、前記防犯異常検出信号が入力されなかったとき、前記録画機能部及び前記親機警報発報機能部をそれぞれ非能動に制御して待受状態になることを特徴とする請求項１乃至請求項３のうち何れか１項記載のインターホンシステム。
【請求項５】
前記インターホン親機は、前記侵入検知信号が入力された後に前記インターホン子機からの呼出信号（Ｓ6）を入力したとき、前記インターホン子機からの呼び出しを報知して呼出状態に移行し、前記呼出信号が入力される前所定時間（Ｔ4）及び前記呼出信号が入力された後所定時間（Ｔ3）に前記録画・再生回路に録画された映像を前記メモリ回路に保存することを特徴とする請求項１乃至請求項４のうち何れか１項記載のインターホンシステム。
【発明の詳細な説明】
【技術分野】
【０００１】
本発明は、泥棒等の不審者に対する防犯機能を備えたインターホンシステムに係り、特に、侵入者の存在を検知して警報発報を行い、この侵入者の映像を撮像して録画・保存することができるインターホンシステムに関する。
【背景技術】
【０００２】
従来から、この種のインターホンシステムとして、検知エリア内に侵入した人物の映像を確実に撮像できるインターホンシステムが開示されている（例えば、特許文献１を参照。）。
【０００３】
このインターホンシステムによれば、検知エリア内に人が居るときに即座に録画動作に移行でき、検知エリア内に侵入（進入）した人物の映像を確実に撮像することができる。また、検知エリアを出たり入ったりしている場合、その人物を検知した時点で録画を開始させているので、不審者の映像を確実に撮像することができる。
【０００４】
【特許文献１】特許第３８４６３８２号公報
【発明の開示】
【発明が解決しようとする課題】
【０００５】
背景技術に記載した特許文献１のインターホンシステムによれば、人感センサーとして、玄関先に検知エリアを有する第１のセンサー、当該第１のセンサーの検知エリアの外側の検知エリアを有する第２のセンサーのように、当該センサーの誤動作を避けるために複数のセンサーを設置する必要があった。また、第１、第２の各センサーの誤った検知動作を検出するにあたっては、インターホン親機側の機能変更が必要であり、誤った検知動作に応じて録画件数が増大となり、録画機能を有効に活用できなかった。
【０００６】
本発明は、これらの難点を解消するためになされたもので、複数のセンサを設置せずとも、映像撮像機能を有するインターホン子機と録画・保存機能を有するインターホン親機とを使用して侵入者の映像を確実に保存することができるインターホンシステムを提供することを目的としている。
【課題を解決するための手段】
【０００７】
前述の目的を達成するため、本発明の第１の態様であるインターホンシステムは、カメラを有するインターホン子機と、インターホン子機に接近して設置され予め設定された検知エリアに人が侵入したことを検知するセンサと、インターホン子機からの呼び出しが報知され通話を成立させるための呼出報知機能部及び通話機能部、インターホン子機のカメラにて撮像された映像を録画・保存及び出画するための録画・保存機能部及び映像出画機能部、センサにて検知された侵入者の存在を警報発報するための親機警報発報機能部を有するインターホン親機とを備えたものである。インターホン親機の録画・保存機能部は、録画・再生回路及びメモリ回路により構成されている。インターホン親機は、侵入者の存在を検知したセンサにて生成される侵入検知信号の入力のタイミングで録画・再生回路への録画を開始し、検知エリア内で侵入者の存在が一定時間継続して、又は複数回の出入りとして検知したセンサにて生成される防犯異常検出信号が入力される場合、防犯異常検出信号が入力された時点の前所定時間に録画・再生回路に録画された映像をメモリ回路に保存するものである。
【０００８】
また、本発明の第２の態様であるインターホンシステムは、本発明の第１の態様において、録画・再生回路に録画された映像を防犯異常検出信号が入力された時点の前所定時間のみならず、防犯異常検出信号が入力された時点の後所定時間にメモリ回路に保存するものである。
【０００９】
また、本発明の第３の態様であるインターホンシステムは、本発明の第１の態様又は第２の態様において、インターホン親機は、防犯異常検出信号が入力されたとき、親機警報発報機能部及びインターホン子機の子機警報発報機能部をそれぞれ能動にするものである。
【００１０】
また、本発明の第４の態様であるインターホンシステムは、本発明の第１の態様乃至第３の態様において、インターホン親機は、防犯異常検出信号が入力されなかったとき、録画機能部及び親機警報発報機能部をそれぞれ非能動に制御して待受状態になるものである。
【００１１】
また、本発明の第５の態様であるインターホンシステムは、本発明の第１の態様乃至第４の態様において、インターホン親機は、侵入検知信号が入力された後にインターホン子機からの呼出信号を入力したとき、インターホン子機からの呼び出しを報知して呼出状態に移行し、呼出信号が入力される前所定時間及び呼出信号が入力された後所定時間に録画・再生回路に録画された映像をメモリ回路に保存するものである。
【発明の効果】
【００１２】
本発明のインターホンシステムによれば、予め設定された検知エリアに泥棒等の不審者が侵入したことをセンサが検知したタイミングで、インターホン子機のカメラにて撮像される映像のインターホン親機の録画・再生回路への録画を開始し、検知エリア内で侵入者の存在が一定時間継続して、又は複数回の出入りとして検出した前所定時間に録画・再生回路へ予め録画されていた映像と、検出した後所定時間に録画・再生回路へと録画される映像とをメモリ回路に保存することにより、侵入者である泥棒等の不審者の映像のみを確実にメモリ回路に保存することができ、この映像をモニタに再生して確認するにあたり、当該不審者を判別する際の有効的な材料と為り得る。また、検知エリア内で侵入者の存在が一定時間継続して、又は複数回の出入りとして検出された場合には、インターホン親機及びインターホン子機にてそれぞれ警報発報を行うことにより、防犯性を高めることができる。さらに、予め設定された検知エリアに泥棒等の不審者が侵入したことをセンサが検知したのにも拘わらず、検知エリア内で侵入者の存在が一定時間継続して、又は複数回の出入りとして検出されなかった場合には、インターホン親機を待受状態に復旧させることができる。
【００１３】
また、本発明のインターホンシステムによれば、予め設定された検知エリアに来訪者が侵入したことをセンサが検知したタイミングで、インターホン子機のカメラにて撮像される映像のインターホン親機の録画・再生回路への録画を開始し、この来訪者による呼出操作を検出した前所定時間に録画・再生回路へ予め録画されていた映像と、検出した後所定時間に録画・再生回路へと録画される映像とをメモリ回路に保存することにより、来訪者の映像のみを確実にメモリ回路に保存することができ、この映像をモニタに再生して確認するにあたり、当該来訪者を判別する際の有効的な材料と為り得る。
【発明を実施するための最良の形態】
【００１４】
以下、本発明のインターホンシステムを適用した最良の実施の形態例について、図面を参照して説明する。なお、図１（ａ）は、本発明の実施例によるインターホンシステムの外観構成を示すシステム説明図であり、図１（ｂ）は、本発明の実施例によるインターホンシステムの設置例を示す説明図である。また、図２は、本発明の実施例によるインターホンシステムの具体的な構成を示すブロック図である。さらに、図３（ａ）、（ｂ）はそれぞれ、本発明の実施例によるインターホンシステムの具体的な動作を説明するためのタイムチャート図である。
【００１５】
図１（ａ）、（ｂ）及び図２にそれぞれ示すインターホンシステムは、玄関等の住戸外に設置されるインターホン子機１と、インターホン子機１に接近して設置されるセンサ２と、住戸内に設置され、個別の伝送路（以下、子機ライン、センサラインという。）Ｌ1、Ｌ2を経由してインターホン子機１、センサ２がそれぞれ接続されるインターホン親機３とから構成されている。
【００１６】
図１（ａ）に示すインターホン子機１は、子機操作部１００、カメラ１０１、子機マイク１０２及び子機スピーカ１０３を有している。ここで、子機操作部１００は、住戸外に居る来訪者が住戸内に在室中の居住者を呼び出すための呼出操作を行うものであり、例えば、呼出ボタンが好適とされる。また、カメラ１０１は、図１（ｂ）に示すように所定の撮像エリアＺ1が予め設定され、呼出操作を行った来訪者の映像やセンサ２にて検知された侵入者の映像を撮像するためのものであり、例えば、ＣＣＤ、ＣＭＯＳ等の各種の撮像媒体が好適とされる。さらに、子機マイク１０２及び子機スピーカ１０３は、来訪者が居住者との間で通話を成立させるための音声（送話音声、受話音声）を入出力するものであり、この子機スピーカ１０３は前述の通話機能の他に、来訪者により行われた呼出操作がインターホン親機３にて正常に呼出報知された旨の呼出確認音や音声メッセージ等を出力するための呼出確認報知機能と、センサ２にて検知された侵入者が泥棒等の不審者である旨の警報音や音声メッセージ等を出力するための警報発報機能とがそれぞれ備えられている。
【００１７】
図１（ａ）に示すセンサ２は、人体検知部２００を有している。ここで、人体検知部２００は、図１（ｂ）に示すように所定の検知エリアＺ2が予め設定され、この検知エリアＺ2内への侵入者を検知し、検知したときには侵入検知信号を生成するためのものである。
【００１８】
図１（ａ）に示すインターホン親機３は、モニタ３００、親機マイク３０１、親機スピーカ３０２及び親機操作部３０３を有している。ここで、モニタ３００は、インターホン子機１のカメラ１０１にて撮像される映像を出画するばかりでなく、来訪者からの呼び出しがある旨の呼出メッセージや絵データ等を表示するための呼出報知機能と、センサ２（の人体検知部２００）にて検知された侵入者が泥棒等の不審者である旨の警報メッセージや絵データ等を表示するための警報発報機能とが備えられており、例えば、ＬＣＤ、ＰＤＰ、有機ＥＬディスプレイ等の各種の出画媒体が好適とされる。また、親機マイク３０１及び親機スピーカ３０２は、居住者が来訪者との間で通話を成立させるための音声（送話音声、受話音声）を入出力するものであり、この親機スピーカ３０２は前述の通話機能の他に、来訪者からの呼び出しがある旨の呼出音や音声メッセージ等を出力するための呼出報知機能と、センサ２（の人体検知部２００）にて検知された侵入者が泥棒等の不審者である旨の警報音や音声メッセージ等を出力するための警報発報機能とがそれぞれ備えられている。さらに、親機操作部３０３は、後述するメモリ回路３０５（図２を参照。）から読み出される映像信号をモニタ３００に再生させるための再生操作機能と、来訪者からの呼び出しがあることを確認した居住者が応答して親機マイク３０１及び親機スピーカ３０２を使用した通話を成立させるための応答操作機能と、成立中の通話を終了させるための終話操作機能とが備えられており、例えば、再生ボタン、通話ボタンのような独立した押圧ボタンやモニタ３００の前面に配置されるタッチパネル等が好適とされる。
【００１９】
次に、図２に示すインターホン子機１には、前述の子機操作部１００、カメラ１０１、子機マイク１０２及び子機スピーカ１０３と、子機通話回路１０４と、子機電源回路１０５と、子機伝送回路（以下、子機Ｉ／Ｆという。）１０６とが備えられている。ここで、子機通話回路１０４は、子機マイク１０２及び子機スピーカ１０３にて入出力される音声（送話音声、受話音声）である電気信号の音声信号を信号処理する、例えば、４線／２線変換、２線／４線変換、増幅等を行うためのものである。また、子機電源回路１０５は、インターホン親機３の後述する親機電源回路３０８から子機ラインＬ1を経由して供給されてくる子機電源を受電し、当該子機の構成各部／回路に供給するためのものである。さらに、子機Ｉ／Ｆ１０６は、子機操作部１００から子機ラインＬ1への信号伝送路と、カメラ１０１から子機ラインＬ1への信号伝送路と、子機ラインＬ1から子機スピーカ１０３への信号伝送路と、子機通話回路１０４及び子機ラインＬ1の間の信号伝路路（通話路）と、子機ラインＬ1から子機電源回路１０５への電源供給路とをそれぞれ形成するためのものである。
【００２０】
図２に示すセンサ２には、前述の人体検知部２００と、防犯異常検出部２０１と、センサ伝送回路（以下、センサＩ／Ｆという。）２０２とが備えられている。ここで、防犯異常検出部２０１は、人体検知部２００の動作を監視し、検知エリアＺ2内で侵入者の存在が一定時間継続して、又は複数回の出入りであると判断したときには防犯異常検出信号を生成するためのものである。また、センサＩ／Ｆ２０２は、人体検知部２００からセンサラインＬ2への信号伝送路と、防犯異常検出部２０１からセンサラインＬ2への信号伝送路とをそれぞれ形成するためのものである。
【００２１】
図２に示すインターホン親機３には、前述のモニタ３００、親機マイク３０１、親機スピーカ３０２及び親機操作部３０３と、録画・再生回路３０４と、メモリ回路３０５と、音声合成回路３０６と、親機通話回路３０７と、親機電源回路３０８と、子機側親機伝送回路（以下、子機側親機Ｉ／Ｆという。）３０９と、センサ側親機伝送回路（以下、センサ側親機Ｉ／Ｆという。）３１０と、制御回路３１１とが備えられている。ここで、録画・再生回路３０４は、制御回路３１１により制御され、インターホン子機１のカメラ１０１にて撮像された映像である電気信号の映像信号を、リアルタイムの映像としてモニタ３００に出画する、又は（圧縮して）録画する、又は後述するメモリ回路３０５から読み出される映像信号を（伸張して）モニタ３００に再生するためのものである。また、メモリ回路３０５は、制御回路３１１により制御され、録画・再生回路３０４に予め録画された映像信号を保存するためのものであり、例えば、ＲＡＭ、ＥＥＰＲＯＭ等の各種の記憶媒体が好適とされる。また、音声合成回路３０６は、制御回路３１１により制御され、来訪者からの呼び出しがある旨の呼出音や音声メッセージ等の呼出報知音信号と、来訪者により行われた呼出操作が当該親機にて正常に呼出報知された旨の呼出確認音や音声メッセージ等の呼出確認音信号と、センサ２（の人体検知部２００）にて検知された侵入者が泥棒等の不審者である旨の警報音や音声メッセージ等の警報発報音信号とをそれぞれ生成するためのものである。また、親機通話回路３０７は、制御回路３１１により制御され、親機マイク３０１及び親機スピーカ３０２にて入出力される音声（送話音声、受話音声）である電気信号の音声信号を信号処理する、例えば、４線／２線変換、２線／４線変換、増幅等を行うためのものである。また、親機電源回路３０８は、制御回路３１１により制御され、商用電源について整流・平滑させた親機電源を生成し、当該親機の構成各部／回路に供給するとともに、子機ラインＬ1を経由してインターホン子機１に供給させる子機電源を生成するためのものである。また、子機側親機Ｉ／Ｆ３０９は、子機ラインＬ1から録画・再生回路３０４への信号伝送路と、音声合成回路３０６から子機ラインＬ1への信号伝送路と、親機通話回路３０７及び子機ラインＬ1の間の信号伝送路（通話路）と、親機電源回路３０８から子機ラインＬ1への電源供給路と、制御回路３１１及び子機ラインＬ1の間の信号伝送路とをそれぞれ形成するためのものである。また、センサ側親機Ｉ／Ｆ３１０は、センサラインＬ2から制御回路３１１への信号伝送路を形成するためのものである。さらに、制御回路３１１は、計時機能を有しており、当該親機の構成各部／回路を前述のように制御するとともに、当該制御に関する所要時間を計測処理するためのものである。
【００２２】
このように構成された本発明の実施例によるインターホンシステムにおいて、以下、具体的な動作について、図面を参照して説明する。
【００２３】
第１の動作として、図１（ｂ）に示すようにインターホン子機１に泥棒等の不審者Ｐ1が接近し、センサ２の人体検知部２００が有する所定の検知エリアＺ2内に侵入すると、この不審者Ｐ1の人体を検知した人体検知部２００は、侵入検知信号Ｓ1を生成する。また、図２において、センサ２の人体検知部２００にて生成された侵入検知信号Ｓ1は、センサＩ／Ｆ２０２、センサラインＬ2、インターホン親機３のセンサ側親機Ｉ／Ｆ３１０を経由して制御回路３１１に伝送される。なお、センサ２の防犯異常検出部２０１は、人体検知部２００からインターホン親機３への侵入検知信号Ｓ1の出力の有無を監視している。
【００２４】
図２に示すインターホン親機３の制御回路３１１は、センサ２の人体検知部２００からの侵入検知信号Ｓ1を受信すると、待受状態から侵入検知状態に移行され、図３（ａ）に示すように計時機能が能動となり、親機電源回路３０８を制御して生成させた親機電源を録画・再生回路３０４に供給して当該録画・再生回路を能動とし、同様に親機電源回路３０８を制御して生成させたインターホン子機１のカメラ１０１を能動とするための子機電源を、子機側親機Ｉ／Ｆ３０９、子機ラインＬ1、当該子機の子機Ｉ／Ｆ１０６を経由して子機電源回路１０５に供給する。
【００２５】
図２に示すインターホン子機１の子機電源回路１０５は、インターホン親機３の親機電源回路３０８からの子機電源を受電し、この子機電源をカメラ１０１に供給して当該カメラを能動とする。また、カメラ１０１は、図１（ｂ）に示す撮像エリアＺ1内における泥棒等の不審者Ｐ1の映像の撮像を開始して映像信号Ｓ2を生成する。この映像信号Ｓ2は、カメラ１０１から子機Ｉ／Ｆ１０６、子機ラインＬ1、インターホン親機３の子機側親機Ｉ／Ｆ３０９を経由して録画・再生回路３０４に伝送される。
【００２６】
図２に示すインターホン親機３の録画・再生回路３０４は、インターホン子機１のカメラ１０１からの映像信号Ｓ2を受信して録画を開始する。なお、録画・再生回路３０４に録画される映像信号Ｓ2には、制御回路３１１が有する計時機能により撮像時刻等の時間情報が付与されている。
【００２７】
この後、図２に示すセンサ２の防犯異常検出部２０１は、人体検知部２００が有する所定の検知エリアＺ2内に泥棒等の不審者Ｐ1が一定時間継続して侵入しているように当該人体検知部からの人体検知信号Ｓ1の出力が一定時間継続されている場合、又は泥棒等の不審者Ｐ1が検知エリアＺ2内を複数回出入りするように当該人体検知部からの人体検知信号Ｓ1の出力が断続している場合には、防犯異常であると判断して防犯異常検出信号Ｓ3を生成する。また、防犯異常検出部２０１にて生成された防犯異常検出信号Ｓ3は、センサＩ／Ｆ２０２、センサラインＬ2、インターホン親機３のセンサ側親機Ｉ／Ｆ３１０を経由して制御回路３１１に伝送される。
【００２８】
図２に示すインターホン親機３の制御回路３１１は、センサ２の防犯異常検出部２０１からの防犯異常検出信号Ｓ3を受信すると、侵入検知状態から警報状態に移行され、図３（ａ）に示すように所定時間（以下、第１の時間という。）Ｔ1の計時を開始するとともに、この防犯異常検出信号Ｓ3を受信した前の所定時間（以下、第２の時間という。）Ｔ2において録画・再生回路３０４に予め録画されていた映像信号Ｓ2をメモリ回路３０５に保存するばかりでなく、第１の時間Ｔ1においてインターホン子機１のカメラ１０１にて撮像され録画・再生回路３０４に録画される映像信号Ｓ2をメモリ回路３０５に保存し、さらには、リアルタイムの映像としてモニタ３００に出画することができる。なお、侵入検知状態から警報状態に移行された制御回路３１１は、センサ２の人体検知部２００にて検知された侵入者が泥棒等の不審者Ｐ1である旨の警報メッセージや絵データ等をモニタ３００に表示することもでき、さらには、適宜な通信手段（詳述せず。）を使用して、泥棒等の不審者Ｐ1の存在を警備管理会社等のサーバに警報移報することもできる。
【００２９】
前述までの説明から明らかなように、図２に示すインターホン親機３の制御回路３１１は、予め設定された検知エリアＺ2に泥棒等の不審者Ｐ1が侵入したことを検知したセンサ２の人体検知部２００からの侵入検知信号Ｓ1を受信したタイミングで、インターホン子機１のカメラ１０１にて撮像される映像（映像信号Ｓ2）の録画・再生回路３０４への録画を開始させることができ、検知エリアＺ2内で泥棒等の不審者Ｐ1の存在が一定時間継続して、又は複数回の出入りとして検出したセンサ２の防犯異常検出部２０１からの防犯異常検出信号Ｓ3を受信した前所定時間（第２の時間）Ｔ2に録画・再生回路３０４へ予め録画されていた映像（映像信号Ｓ2）と、当該防犯異常検出信号を受信した後所定時間（第１の時間）Ｔ1に録画・再生回路３０４へと録画される映像（映像信号Ｓ2）とをメモリ回路３０５に保存することにより、侵入者である泥棒等の不審者Ｐ1の映像（映像信号Ｓ2）のみを確実にメモリ回路３０５に保存することができる。
【００３０】
また、図２に示すインターホン親機３の制御回路３１１は、センサ２の防犯異常検出部２０１からの防犯異常検出信号Ｓ3を受信して警報状態になると、音声合成回路３０６を制御して警報発報音信号Ｓ4を生成することができる。この警報発報音信号Ｓ4は、音声合成回路３０６から親機スピーカ３０２に伝送され、センサ２の人体検知部２００が有する所定の検知エリアＺ2内に泥棒等の不審者Ｐ1が一定時間継続して存在している、又は泥棒等の不審者Ｐ1が検知エリアＺ2内を複数回出入りしている旨の警報音や音声メッセージ等の警報発報音として出力されるばかりでなく、音声合成回路３０６から子機側親機Ｉ／Ｆ３０９、子機ラインＬ1、インターホン子機１の子機Ｉ／Ｆ１０６を経由して子機スピーカ１０３に伝送され、泥棒等の不審者Ｐ1を威嚇して住戸外に警報発報する旨の警報音や音声メッセージ等の警報発報音として出力されることにより、防犯性を高めることができる。
【００３１】
さらに、居住者や防犯管理会社等の警備員は、図２に示すインターホン親機３の親機操作部３０３を使用して再生操作を行うと、この再生操作を検出した制御回路３１１の制御によりメモリ回路３０５から映像信号Ｓ2が読み出され、録画・再生回路３０４を経由してモニタ３００に伝送された後、撮像時刻等の時間情報が付与された状態で再生させることができる。これにより、居住者や防犯管理会社等の警備員にとっては、泥棒等の不審者Ｐ1を判別する際の有効的な材料と為り得る。
【００３２】
なお、図２に示すインターホン親機３の制御回路３１１がセンサ２の人体検知部２００からの侵入検知信号Ｓ1を受信して計時機能が能動となった後において、一定時間内にセンサ２の防犯異常検出部２０１からの防犯異常検出信号Ｓ3を受信しなかった場合、制御回路３１１は、侵入検知状態から待受状態になる、すなわち、待受状態に復旧される。
【００３３】
次に、第２の動作として、図１（ｂ）に示すようにインターホン子機１に来訪者Ｐ2が接近し、センサ２の人体検知部２００が有する所定の検知エリアＺ2内に侵入すると、この来訪者Ｐ2の人体を検知した人体検知部２００は、前述の第１の動作と同様、侵入検知信号Ｓ1を生成してインターホン親機３の制御回路３１１に送出し、防犯異常検出部２０１は、侵入検知信号Ｓ1の出力の有無を監視する。
【００３４】
図２に示すインターホン親機３の制御回路３１１は、センサ２の人体検知部２００からの侵入検知信号Ｓ1を受信すると、待受状態から侵入検知状態に移行され、図３（ｂ）に示すように計時機能が能動となり、親機電源回路３０８を制御して生成させた親機電源を録画・再生回路３０４に供給して当該録画・再生回路を能動とし、同様に親機電源回路３０８を制御して生成させたインターホン子機１のカメラ１０１を能動とするための子機電源を、前述の第１の動作と同様、当該インターホン子機の子機電源回路１０５に供給する。
【００３５】
図２に示すインターホン子機１の子機電源回路１０５は、インターホン親機３の親機電源回路３０８からの子機電源を受電し、この子機電源をカメラ１０１に供給して当該カメラを能動とする。また、カメラ１０１は、図１（ｂ）に示す撮像エリアＺ1内における来訪者Ｐ2の映像の撮像を開始して映像信号Ｓ5を生成する。この映像信号Ｓ5は、前述の映像信号Ｓ2と同一の信号伝送路を経由してインターホン親機３の録画・再生回路３０４に伝送される。
【００３６】
図２に示すインターホン親機３の録画・再生回路３０４は、インターホン子機１のカメラ１０１からの映像信号Ｓ5を受信して録画を開始する。なお、録画・再生回路３０４に録画される映像信号Ｓ4には、制御回路３１１が有する計時機能により撮像時刻等の時間情報が付与されている。
【００３７】
この後、インターホン子機１に接近した来訪者Ｐ2が居住者を呼び出すため、子機操作部１００を使用して呼出操作を行うと、呼出信号Ｓ6が生成される。また、子機操作部１００にて生成された呼出信号Ｓ6は、子機Ｉ／Ｆ１０６、子機ラインＬ1、インターホン親機３の子機側親機Ｉ／Ｆ３０９を経由して制御回路３１１に伝送される。
【００３８】
図２に示すインターホン親機３の制御回路３１１は、インターホン子機１の子機操作部１００からの呼出信号Ｓ6を受信すると、侵入検知状態から呼出状態に移行され、図３（ｂ）に示すように所定時間（以下、第３の時間という。）Ｔ3の計時を開始するとともに、この呼出信号Ｓ5を受信した前の所定時間（以下、第４の時間という。）Ｔ4において録画・再生回路３０４に予め録画されていた映像信号Ｓ5をメモリ回路３０５に保存するばかりでなく、第３の時間Ｔ3においてインターホン子機１のカメラ１０１にて撮像され録画・再生回路３０４に録画される映像信号Ｓ5をメモリ回路３０５に保存し、さらには、リアルタイムの映像としてモニタ３００に出画することができる。なお、侵入検知状態から呼出状態に移行された制御回路３１１は、来訪者Ｐ2からの呼び出しがある旨の呼出メッセージや絵データ等をモニタ３００に表示することもできる。
【００３９】
前述までの説明から明らかなように、図２に示すインターホン親機３の制御回路３１１は、予め設定された検知エリアＺ2に来訪者Ｐ2が侵入したことを検知したセンサ２の人体検知部２００からの侵入検知信号Ｓ1を受信したタイミングで、インターホン子機１のカメラ１０１にて撮像される映像（映像信号Ｓ5）の録画・再生回路３０４への録画を開始させることができ、この来訪者により呼出操作が行われたインターホン子機１からの呼出信号Ｓ6を受信した前所定時間（第４の時間）Ｔ4に録画・再生回路３０４へ予め録画されていた映像（映像信号Ｓ5）と、当該呼出信号を受信した後所定時間（第３の時間）Ｔ3に録画・再生回路３０４へと録画される映像（映像信号Ｓ5）とをメモリ回路３０５に保存することにより、来訪者Ｐ2の映像（映像信号Ｓ2）のみを確実にメモリ回路３０５に保存することができる。
【００４０】
また、図２に示すインターホン親機３の制御回路３１１は、インターホン子機１の子機操作部１０１からの呼出信号Ｓ6を受信すると、音声合成回路３０６を制御して呼出報知音信号Ｓ7及び呼出確認音信号Ｓ8をそれぞれ生成することができる。ここで、呼出報知音信号Ｓ7は、音声合成回路３０６から親機スピーカ３０２に伝送され、来訪者Ｐ2からの呼び出しがある旨の呼出音や音声メッセージ等の呼出報知音として出力される。一方、呼出確認音信号Ｓ8は、音声合成回路３０６から子機側親機Ｉ／Ｆ３０９、子機ラインＬ1、インターホン子機１の子機Ｉ／Ｆ１０６、子機通話回路１０４を経由して子機スピーカ１０３に伝送され、来訪者Ｐ2により行われた呼出操作が当該親機にて正常に呼出報知された旨の呼出確認音や音声メッセージ等として出力される。
【００４１】
ここで、図１（ａ）、図２にそれぞれ示すインターホン親機３のモニタ３００に来訪者Ｐ2の映像がリアルタイムで出画され、親機スピーカ３０２から呼出報知音が出力されたとき、居住者が住戸内に在室中であり、来訪者Ｐ2からの呼び出しがあることを当該来訪者の判別と併せて確認した後、親機操作部３０３を使用して応答操作を行うと、この操作を検出した制御回路３１１の制御により、居住者が使用する親機マイク３０１及び親機スピーカ３０２と、親機通話回路３０７、子機側親機Ｉ／Ｆ３０９、子機ラインＬ1、インターホン子機１の子機Ｉ／Ｆ１０６、子機通話回路１０４を経由して来訪者Ｐ2が使用する子機マイク１０２及び子機スピーカ１０３との間の信号伝送路、すなわち、通話路が形成され、形成された通話路を経由して音声信号を送受信させることで通話が成立することから、居住者にとっては、来訪者Ｐ2の様子を確認しながらの通話が可能となる。
【００４２】
一方、図１（ａ）、図２にそれぞれ示すインターホン親機３のモニタ３００に来訪者Ｐ2の映像がリアルタイムで出画され、親機スピーカ３０２から呼出報知音が出力されたのにも拘わらず、居住者が外出等で住戸内を不在にしていた場合、この居住者が帰宅時に親機操作部３０３を使用して再生操作を行うと、この再生操作を検出した制御回路３１１の制御によりメモリ回路３０５から映像信号Ｓ5が読み出され、録画・再生回路３０４を経由してモニタ３００に伝送された後、撮像時刻等の時間情報が付与された状態で再生させることができる。これにより、居住者にとっては、外出等で住戸内を不在にしていた際に呼出操作を行った来訪者Ｐ2を判別する際の有効的な材料と為り得る。
【００４３】
なお、本発明のインターホンシステムにおいては、その実施例として、インターホン親機３が有する計時機能を制御回路３１１に備えた態様について説明したが、この態様に限定されるものではない。例えば、計時機能を有する構成部／回路として、制御回路３１１により制御されるタイマ回路（図示せず。）を別途に設けてもよい。
【００４４】
また、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００４５】
【図１】図１（ａ）は、本発明の実施例によるインターホンシステムの外観構成を示すシステム説明図であり、図１（ｂ）は、本発明の実施例によるインターホンシステムの設置例を示す説明図である。
【図２】図２は、本発明の実施例によるインターホンシステムの具体的な構成を示すブロック図である。
【図３】図３は、本発明の実施例によるインターホンシステムの具体的な動作タイミングを示すタイムチャート図である。
【符号の説明】
【００４６】
１……インターホン子機
１０１……カメラ
１０３……子機スピーカ（子機警報発報機能部）
２……センサ
３……インターホン親機
３００……モニタ（呼出報知機能部、映像出画機能部、親機警報発報機能部）
３０１……親機マイク（通話機能部）
３０２……親機スピーカ（呼出報知機能部、通話機能部、親機警報発報機能部）
３０４……録画・再生回路（録画・保存機能部）
３０５……メモリ回路（録画・保存機能部）
３０６……音声合成回路（呼出報知機能部、親機警報発報機能部）
３０７……親機通話回路（通話機能部）
Ｚ2……（センサカメラが有する）検知エリア
Ｓ1……侵入検知信号
Ｓ3……防犯異常検出信号
Ｓ6……呼出信号
Ｔ1、Ｔ2、Ｔ3、Ｔ4……第１乃至第４の各時間（所定時間）
【図１】
2008250405.tif 000003
【図２】
2008250405.tif 000004
【図３】
2008250405.tif 000005